(57)【要約】【課題】  穿孔ヘッドと印刷ヘッドとを一体にするような構成で、穿孔の際にインク汚れの発生を防止する画像形成装置を提供すること。【解決手段】  印刷ヘッドと穿孔ヘッドをキャリッジに装着し走査する画像形成装置において、用紙の紙面上、穿孔、印刷の順に行う。【選択図】  図３
2020185684.tif 000002
【特許請求の範囲】
【請求項１】
印刷ヘッドと穿孔ヘッドをキャリッジに装着し走査する画像形成装置において、
用紙の紙面上、穿孔、印刷の順に行うことを特徴とする画像形成装置。
【請求項２】
印刷ヘッドと穿孔ヘッドとをキャリッジの走査方向に沿う方向に並べて配置し、穿孔ヘッドを印刷ヘッドの両側に配置することを特徴とする請求項１に記載の画像形成装置。
【請求項３】
印刷ヘッドを横並びに配置し、印刷ヘッドと穿孔ヘッドとをキャリッジの走査方向に対して垂直に配置することを特徴とする請求項１に記載の画像形成装置。
【請求項４】
印刷ヘッドと穿孔ヘッドとをキャリッジの走査方向に沿う方向に並べて配置し、キャリッジの走査方向の往路で穿孔を行い、復路で印刷を行うことを特徴とする請求項１に記載の画像形成装置。
【請求項５】
印刷ヘッドと穿孔ヘッドとを一体として一個のキャリッジに装着したことを特徴とする請求項１乃至請求項４の何れか一項に記載の画像形成装置。
【発明の詳細な説明】
【技術分野】
【０００１】
本発明は、ミシン目を穿孔する手段を備えた画像形成装置に関する。特に、穿孔ヘッドとインクジェット印刷ヘッドとが一体になっている画像形成装置に関する。
【背景技術】
【０００２】
従来、穿孔ヘッドとインクジェット印刷ヘッドとが一体になっている画像形成装置に関して、特許文献１が提案されている。特許文献１においては、キャリッジの主走査方向、副走査方向の移動の際に、それぞれの方向の穿孔を行うこと、および、ドットマトリックスデータに対応した穿孔を行うことが開示されている。
【０００３】
また、特許文献２には、ミシン目を付与するとき着弾したインクがミシン刃に付着し、後続して加工されるミシン目に付着して、インク汚れを生じさせる問題に対する解決手段が開示されている。それは、記録媒体の両面にそれぞれに画像を記録する２つの画像記録部が記録媒体の搬送経路上に配置された構成である。そして、２つの画像記録部の搬送方向下流側で、先に画像記録を行った記録媒体の面にミシン目を付与する位置にミシン目装置が配設される画像記録装置である。
【先行技術文献】
【特許文献】
【０００４】
【特許文献１】特開平１０−６５８６号公報
【特許文献２】特開２０１１−１４８１６３号公報
【発明の概要】
【発明が解決しようとする課題】
【０００５】
しかしながら、特許文献１の方法では、穿孔と印刷の順序には特に開示はなく、インクの着弾した後に穿孔を行い、穿孔手段にインクが付着して、後続する穿孔で紙面を汚してしまう場合がある。また、特許文献２の方法では、長尺な記録媒体に画像を記録するような構成では、有効であるが、穿孔ヘッドと印刷ヘッドとを一体にするような構成では、適用ができない。
【課題を解決するための手段】
【０００６】
上記の課題を解決するために、本発明に係る画像形成装置は、
印刷ヘッドと穿孔ヘッドをキャリッジに装着し走査する画像形成装置において、用紙の紙面上、穿孔、印刷の順に行うことを特徴とする。
【発明の効果】
【０００７】
本発明に係る画像形成装置によれば、穿孔ヘッドと印刷ヘッドとを一体にするコンパクトな構成の画像形成処置においても、ミシン目を穿孔する際に、着弾したインクが穿孔ピンに付着して、インク汚れが発生することを防止することができる。
【図面の簡単な説明】
【０００８】
【図１】本発明の一実施例である画像形成装置の構成を示す図である。
【図２】機構部４の構成を示す図である。
【図３】キャリッジを紙面側から見た図である。
【図４】キャリッジ位置と信号との関係を示す図である。
【図５】キャリッジが右から左へ移動する場合の信号を示す図である。
【図６】キャリッジが左から右へ移動する場合の信号を示す図である。
【図７】実施例２のキャリッジを紙面側から見た図である。
【図８】実施例３のキャリッジを紙面側から見た図である。
【発明を実施するための形態】
【０００９】
以下、本発明を実施するための形態について、図面を参照しながら詳細に説明する。なお、この実施の形態に記載されている構成要素は、本発明の例としての形態を示すものであり、この発明の範囲をそれらのみに限定するものではない。
【実施例１】
【００１０】
図１は、本発明の一実施例である画像形成装置の構成を示す図である。
【００１１】
図中、１はＣＰＵ、２はＲＯＭ、３はＲＡＭ、４は機構部、５は操作部、６は通信部、７はシステムバスである。ＣＰＵ１、ＲＯＭ２、ＲＡＭ３、機構部４、操作部５、通信部６は、システムバス７を対して互いに接続している。
【００１２】
ＣＰＵ１は、ＲＯＭ２に格納されたプログラムに基づき、ＲＡＭ３を作業領域として、画像形成装置の制御を行っている。機構部４は、ＣＰＵ１の制御にしたがって、印刷および穿孔を行う。操作部５は、図示しない表示手段、入力手段などのユーザーインターフェースを備え、画像処理装置の状態を操作者に表示したり、操作者の指示入力を受け付けたりする。通信部６は外部装置と接続し通信を行う。外部装置から受信したデータにしたがって、ＣＰＵ１により機構部４を制御し、印刷、穿孔を行う。
【００１３】
図２は、機構部４の構成を示す図である。
【００１４】
図中、４０１はキャリッジ、４０２はシアンインクタンク、４０３はマジェンタインクタンク、４０４はイエローインクタンク、４０５はブラックインクタンクである。４０６はガイドロッド、４０７はフォトカプラ、４０８はリニアスケールである。４０９はリニアスケール４０８の上端に設けられたスリットを示す。４１０は用紙であり、印刷、穿孔が施される媒体である。
【００１５】
シアンインクタンク４０２、マジェンタインクタンク４０３、イエローインクタンク４０４、ブラックインクタンク４０５は、キャリッジ４０１に装着される。キャリッジ４０１は、図示しないモータ駆動系により、ガイドロッド４０６に沿って左右に移動し、紙面上を走査する。このキャリッジの移動方向をＸ方向と呼ぶことにする。また、穿孔ヘッド、印刷ヘッドが１回に走査する幅を１バンドと呼ぶことにする。用紙４１０は、図示しない搬送手段によりＸ方向と垂直な方向に移動する。この用紙４１０の移動方向をＹ方向と呼ぶことにする。用紙４１０のＹ方向の移動は１バンドの幅が単位となる。
【００１６】
フォトカプラ４０７は発光部と受光部を持つ光学センサで、キャリッジ４０１に固定され、キャリッジ４０１と一体となって移動する。リニアスケール４０８は、フォトカプラ４０７の発光部と受光部の間を遮るように配置され、４０９に示すようにスリットを持ち、キャリッジ４０１の移動に従い、発光部から発せられた光を通したり、遮ったりする。これにより、キャリッジの位置に従ったオン・オフ信号を出力する。
【００１７】
図３は、キャリッジ４０１を用紙１１０の側から見た図である。
【００１８】
図中、４１１は穿孔ヘッド、４１２はブラック印刷ヘッド、４１３はイエロー印刷ヘッド、４１４はマジェンタ印刷ヘッド、４１５はシアン印刷ヘッド、４１６は穿孔ヘッドである。４１７は、穿孔ヘッド４１１、４１６に備える穿孔ピンで、穿孔ピン４１７を突き出すことにより、用紙１１０の紙面に穴をあける。穿孔ヘッド４１１、４１６はキャリッジ４０１に装着され、キャリッジ４０１と一体にガイドロッド４０６に沿って移動し、穿孔ピン４１７を突き出して用紙４１０に穴あけをし、紙面上にミシン目を作成する。
【００１９】
ブラック印刷ヘッド４１２はブラックインクタンク４０５から供給されるインクを吐出して印刷を行う。イエロー印刷ヘッド４１３はイエローインクタンク４０４から供給されるインクを吐出して印刷を行う。マジェンタ印刷ヘッド４１４はマジェンタインクタンク４０３から供給されるインクを吐出して印刷を行う。シアン印刷ヘッド４１５はシアンインクタンク４０２から供給されるインクを吐出して印刷を行う。
【００２０】
図４は、キャリッジ位置と各信号との関係を示す図である。
【００２１】
図中、（Ａ）は、キャリッジ４０１の位置と、フォトカプラ４０７の出力信号の関係を示す。横軸は、キャリッジ４０１（フォトカプラ４０７）の位置を示す。信号のオン・オフは印刷の解像度に一致するように変化する。（Ｂ）は穿孔ヘッド４１６の穿孔ピン突出しタイミングを示す。（Ｃ）はシアン印刷ヘッド４１５の吐出タイミングを示す。（Ｄ）はマジェンタ印刷ヘッド４１４の吐出タイミングを示す。（Ｅ）はイエロー印刷ヘッド４１３の吐出タイミングを示す。（Ｆ）はブラック印刷ヘッド４１２の吐出タイミングを示す。（Ｇ）は、穿孔ヘッド４１１の穿孔ピン突出しタイミングを示す。
【００２２】
信号は、フォトカプラ４０７と各ヘッドの位置の差により信号の出力範囲に差異が生じている。穿孔ピン突出しタイミングと吐出タイミングは、ドット解像度の違いにより差異が生じている。穿孔するドットパターン信号と穿孔ピン突出しタイミング信号の論理積を取り、値が１となる場合に穿孔ピン４１８の突出しが行われる。同様に印刷ドットパターン信号と吐出タイミング信号の論理積を取り、値が１の場合に吐出が行われる。
【００２３】
図５は、キャリッジ４０１が右から左へ移動する場合の信号を示す図である。
【００２４】
図中、（Ａ）は、フォトカプラ４０７の出力信号を示す。横軸は時間を示す。（Ｂ）は穿孔ヘッド４１６の穿孔ピン突出しタイミングを示す。（Ｃ）はシアン印刷ヘッド４１５の吐出タイミングを示す。（Ｄ）はマジェンタ印刷ヘッド４１４の吐出タイミングを示す。（Ｅ）はイエロー印刷ヘッド４１３の吐出タイミングを示す。（Ｆ）はブラック印刷ヘッド４１２の吐出タイミングを示す。（Ｇ）は、穿孔ヘッド４１１の穿孔ピン突出しタイミングを示す。
【００２５】
信号は、フォトカプラ４０７と各ヘッドの位置の差により時差が生じている。キャリッジ４０１が右から左へ移動する場合には、まず、（Ｂ）に示す通り、穿孔ヘッド４１６の穿孔ピンの突出しが始まる。次いで、（Ｃ）に示す通り、シアン印刷ヘッド４１５の吐出が始まる。次いで、（Ｄ）に示す通り、マジェンタ印刷ヘッド４１４の吐出が始まる。次いで、（Ｅ）に示す通り、イエロー印刷ヘッド４１３の吐出が始まる。次いで、（Ｆ）に示す通り、ブラック印刷ヘッド４１２の吐出が始まる。（Ｇ）に示す通り、穿孔ヘッド４１１の穿孔ピンの突出しは行わない。こうして、用紙４１０の紙面上では、まず穿孔ヘッドの穿孔ピンの突出しが行われ、次いで印刷ヘッドの吐出が行われる。
【００２６】
図６は、キャリッジ４０１が左から右へ移動する場合の信号を示す図である。
【００２７】
図中、（Ａ）は、フォトカプラ４０７の出力信号を示す。横軸は時間を示す。（Ｂ）は穿孔ヘッド４１６の穿孔ピン突出しタイミングを示す。（Ｃ）はシアン印刷ヘッド４１５の吐出タイミングを示す。（Ｄ）はマジェンタ印刷ヘッド４１４の吐出タイミングを示す。（Ｅ）はイエロー印刷ヘッド４１３の吐出タイミングを示す。（Ｆ）はブラック印刷ヘッド４１２の吐出タイミングを示す。（Ｇ）は、穿孔ヘッド４１１の穿孔ピン突出しタイミングを示す。
【００２８】
信号は、フォトカプラ４０７と各ヘッドの位置の差により時差が生じている。キャリッジ４０１が左から右へ移動する場合には、まず、（Ｇ）に示す通り、穿孔ヘッド４１１の穿孔ピンの突出しが始まる。次いで、（Ｆ）に示す通り、ブラック印刷ヘッド４１２の吐出が始まる。次いで、（Ｅ）に示す通り、イエロー印刷ヘッド４１３の吐出が始まる。次いで、（Ｄ）に示す通り、マジェンタ印刷ヘッド４１４の吐出が始まる。次いで、（Ｃ）に示す通り、シアン印刷ヘッド４１５の吐出が始まる。（Ｂ）に示す通り、穿孔ヘッド４１６の穿孔ピンの突出しは行わない。こうして、用紙４１０の紙面上では、まず穿孔ヘッドの穿孔ピンの突出しが行われ、次いで印刷ヘッドの吐出が行われる。
【００２９】
以上、説明したとおり、本実施例の画像形成装置において、キャリッジ４０１が左から右に移動する場合も、右から左に移動する場合も、用紙４１０の紙面上、穿孔が印刷に先立って行われる。
【実施例２】
【００３０】
図７は、実施例２のキャリッジを紙面側から見た図である。図３に示したキャリッジとの差異は、穿孔ヘッド４１１、４１６に代わって穿孔ヘッド４１８を備えることである。穿孔ヘッド４１８の紙面に対する位置は、他の印刷ヘッドとＹ方向に差異がある。したがって、用紙４１０がＹ方向に搬送される際、紙面上、まず穿孔が行われ、１バンド分、Ｙ方向に搬送された後、印刷が行われる。
【００３１】
以上、説明したとおり、本実施例の画像形成装置において、キャリッジ４０１が左から右に移動する場合も、右から左に移動する場合も、用紙４１０の紙面上、穿孔が印刷に先立って行われる。
【実施例３】
【００３２】
図８は、実施例３のキャリッジを紙面側から見た図である。図３に示したキャリッジとの差異は、穿孔ヘッド４１１がないことである。本実施例においては、まず、キャリッジ４０１がＸ方向、左から右に移動に移動して、穿孔ヘッド４１６の穿孔のみ行う。次いで、用紙４１０の搬送を行わず、キャリッジ４０１が右から左に移動して、印刷ヘッドの吐出を行い、印刷を行う。１バンド分の印刷を行った後、用紙４１０を１バンド分、Ｙ方向に搬送する。この、穿孔、印刷、搬送を繰り返す。
【００３３】
以上、説明したとおり、本実施例の画像形成装置において、キャリッジ４０１が左から右に移動する場合も、右から左に移動する場合も、用紙４１０の紙面上、穿孔が印刷に先立って行われる。
【００３４】
また、本実施例においては、穿孔と印刷とを同時には行わないため、キャリッジ４０１の移動速度を、穿孔の際と印刷の際とで変えることができる。
【００３５】
上記実施例１ないし３においては、穿孔ヘッドと印刷ヘッドとを一体に一個のキャリッジに装着する例を説明したが、本発明は、ヘッドを一体にキャリッジに装着することに限定しない。穿孔ヘッドと印刷ヘッドとを独立したキャリッジに装着しても構わない。
【符号の説明】
【００３６】
１  ＣＰＵ、２  ＲＯＭ、３  ＲＡＭ、４  機構部、５  操作部、６  通信部、
７  システムバス、４０１  キャリッジ、４０２  シアンインクタンク、
４０３  マジェンタインクタンク、４０４  イエローインクタンク、
４０５  ブラックインクタンク、４０６  ガイドロッド、４０７  フォトカプラ、
４０８  リニアスケール、４０９  リニアスケールスリット、
４１０  用紙、４１１  穿孔ヘッド、４１２  ブラック印刷ヘッド、
４１３  イエロー印刷ヘッド、４１４  マジェンタ印刷ヘッド、
４１５  シアン印刷ヘッド、４１６  穿孔ヘッド、４１７  穿孔ピン、
４１８  穿孔ヘッド
【図１】
2020185684.tif 000003
【図２】
2020185684.tif 000004
【図３】
2020185684.tif 000005
【図４】
2020185684.tif 000006
【図５】
2020185684.tif 000007
【図６】
2020185684.tif 000008
【図７】
2020185684.tif 000009
【図８】
2020185684.tif 000010